(57)【要約】      （修正有）【課題】壁面に密着するように固定でき、その取付けの仕組みが外部からは見えず、展示の安定・安全性を確保できるパネル等の壁面固定具を提供する。【解決手段】ネジ止めとピン止めのいずれか若しくは両方により、壁面Ｗに密着固定し得るプラスチックで平たく形成された固定基盤１が、壁面Ｗに対するパネルＰ等の連結部材としての主体であって、この固定基盤１と、パネルＰ等の裏面に突出される頭部付き突起３と、固定基盤１の端で出し入れ可能に組み込まれるスライド片５とからなり、固定基盤１は、スライド片５が納まるスライド空間８が内部に形成され、上面には、頭部付き突起３がスライド空間８に落ち込む通し抜穴６が設けてあって、スライド片５は、頭部付き突起３に対してスライドが許容されるよう二股状に開き口が設けられ、差し込みにより頭部付き突起３の頭部３ｂにその脱出を阻止するよう掛かる二股掛止縁１５，１５が形成されている。【選択図】図１
2015025294.tif 000002
【特許請求の範囲】
【請求項１】
ネジ止めとピン止めとのいずれかにより、若しくはその両方により壁面に密着することで固定し得るようプラスチックで平たく形成された固定基盤が、壁面に対するパネル等の連結片としての主体であって、この固定基盤と、パネル等の裏面に突出される頭部付き突起と、固定基盤の端で出し入れ可能に組み込まれるスライド片とからなり、そのうち、固定基盤は、スライド片が出入り可能に納まるスライド空間が内部に形成され、また、上面には、前記頭部付き突起がスライド空間に落ち込む通し抜穴が設けてあって、スライド片は、頭部付き突起を避けてスライドが許容されるよう二股状の開き形状であって、その内股部にはスライド差し込みにより頭部付き突起にその脱出を阻止するよう絞り掛かる二股掛止縁が形成されていることを特徴とするパネル等の壁面固定具。
【請求項２】
壁面に面着する裏板フレームと、その下端で連結されV字開きに開閉されるガラスフレームとからなる額縁がパネル等であって、上端部において重ね合わせられる両フレームが二つ合わせで中空になる形状に形成され、そのうちの一方の上部フレームに固定基盤とスライド片とが組み込まれ、スライド片にはフレームの外にスライド操作可能に突出する摘みを設けてあり、他方の上部フレームには、V字の閉じに伴い固定基盤の通し抜穴に打ち込まれる頭部付き突起が具備されていることを特徴とする請求項1記載のパネル等の固定金具。
【請求項３】
スライド片の二股両先端部に爪を突設し、スライド空間の両側縁には、スライド片を出入り二段階に位置決めに停止させるよう爪の係合部を設けてあることを特徴とする請求項1又は２記載のパネル等の壁面固定具。
【請求項４】
スライド片には、基端部に仮止めとなる止めピンの通し孔が設けてあることを特徴とする請求項１記載のパネル等の壁面固定具。
【請求項５】
パネル等の裏面にビスを螺着し頭を浮かせた高さにおいて、細部と頭部とからなる頭部付き突起が具備されていることを特徴とする請求項１又は４記載のパネル等の壁面固定具。
【発明の詳細な説明】
【技術分野】
【０００１】
この発明は、主としてパネルや額縁等（パネル等と総称することにする）を壁面に密着して取り付けるために使用する壁面固定具に関する。
【背景技術】
【０００２】
従来、パネルや額縁を壁掛けするには、壁にその受け金具と、紐掛けフックとを突設し、受け金具に支持された状態において、額縁が紐で前傾斜に支持される。しかし、これでは、受け金具やフック、紐のような壁掛けの仕組みや手段が丸見えとなり不体裁であった。また、パネルが傾斜に伴い凸となるので、スマートさの観点からみても不利であった。
【０００３】
この点については、展示機能からみると、壁面に沿ってすっきりスマートに均一空間が生じていること（商業空間と称することとする）が望ましい。しかし、従来では、壁面からの傾斜凸の存在が、この現代風な商業的空間を取る上で障碍となっていた。
【０００４】
一方、最近では、パネルの上部裏面に仕掛けが見えないよう引っ掛け具を用いた掛止手段がとられることが多い。これによると、パネルが垂直に近くなり、壁面に対して凸となる割合が少ない。しかし、壁面とパネル等との間に、掛止手段を取るための空間が過大に生じることは避けられなかった。したがって、壁面に対して壁面がスッキリするとは言い難く、また、下部は固定してないためフラフラしたり、下方から持ち上げると、はずれてしまう等の難点があった。
【発明の概要】
【発明が解決しようとする課題】
【０００５】
この発明は、上記のような実情に鑑みて、壁面に対して密着するように近接して固定することができ、しかも、その取付けの仕組みが外部からは見えなく、また、いたずらに不正に外されることもなく、複数で使用すればふらつくようなことも全くなく、パネル等の密着が確実に保持されることもあって、商業的空間とともに展示の安定・安全性を確保できるパネル等の壁面固定具を提供することを課題とした。
【課題を解決するための手段】
【０００６】
上記の課題を解決するために、この発明は、ネジ止めとピン止めとのいずれかにより、若しくはその両方により壁面に密着することで固定し得るようプラスチックで平たく形成された固定基盤が、壁面に対するパネル等の連結部材としての主体であって、この固定基盤と、パネル等の裏面に突出される頭部付き突起と、固定基盤の端で出し入れ可能に組み込まれるスライド片とからなり、固定基盤は、スライド片が納まるスライド空間が内部に形成され、また、上面には、前記頭部付き突起がスライド空間に落ち込む通し抜穴が設けてあって、スライド片は、頭部付き突起に対してスライドが許容されるよう二股状に開き口が設けられ、差し込みにより頭部付き突起の頭部にその脱出を阻止するよう掛かる二股掛止縁が形成されていることを特徴とするパネル等の壁面固定具を提供する。
【０００７】
パネル等の壁面固定具を上記のように構成したから、パネル等を壁面に取り付けるには、予め固定基盤を壁面に差しピン等で固着しておいて、その上を覆うようにしてパネル等を当て、スライド片を引いた状態で、パネル等の頭部付き突起を通し抜穴に差し込みながら、スライド片を押し込むと、二股掛止縁が頭部の上に掛かるために脱出不能となり、これでパネル等が固定基盤に対して密着状態を保持する。
【発明の効果】
【０００８】
以上説明したように、この発明のパネル等の壁面固定具によると、パネル等を壁面に対して密着するように固定することができ、しかも、その取付けの仕組みが外部からは見えないので、壁面がすっきりと体裁よくなることで商業空間が広がり、また、いたずらに不正に外されることもなく、展示の安定・安全性を同時に確保できるという優れた効果がある。
【図面の簡単な説明】
【０００９】
【図１】この発明の壁面固定具をパネル等の取付け要領において示す斜視図である。
【図２】同パネル等の壁面固定具の固定基盤を示す正面図である。
【図３】パネル等の取付けを受け入れる体勢（取付け手前）で固定基盤を示す一部切り欠いた正面図である。
【図４】壁面に対するパネル等の取付け（完了）状態を一部切り欠いて示す同じ部分の正面図である。
【図５】壁面に対するパネル等の取付け状態を示す側面図である。
【図６】パネル等の取付けについて、壁面固定具の使用例を示す正面説明図である。
【図７】別の使用例を示す正面説明図である。
【図８】さらに別の使用例を示す正面説明図である。
【図９】固定基盤とスライド片との組合せをハッチングの断面表示にしてその差し込み未完時で示す平面説明図である。
【図１０】同じく差し込み完了時で示す平面説明図である。
【図１１】他の実施例を示す要部斜視図である。
【図１２】同実施例における固定基盤とスライド片との組合せにおいて差し込み未完の状態を断面で示す平面説明図である。
【図１３】同組合せにおいて差し込み完了の状態を断面で示す平面説明図である。
【図１４】この発明に係る額縁の使用状態図であって、（イ）図は、V開きの状態を、（ロ）図は、閉じの状態を示す。
【発明を実施するための形態】
【００１０】
この発明のパネル等の壁面固定具Fは、前記の如く、壁面Wに密着する固定基盤１、パネルP等の裏面に突設される頭部付き突起３、固定基盤１に組み付けられるスライド片５とを一組とするものであるが、殊に、数組において、つまり対において使用することにより密着性、固定性が確実に得られる（例えば、図６〜図８参照）。
【００１１】
また、実施例で示すように、パネルP等の下端のみで壁面固定具Fを使用し、上部では他の連結手段Tを用いても良いし（図６）、上端を吊紐１９で吊り下げ固定しても良い（図１、図５）。２０は紐掛けを示す。
【実施例１】
【００１２】
図１ないし図４に示すように、そのパネル等の壁面固定具Fは、壁面Ｗに密着して取り付ける固定基盤１と、パネルＰの裏面に突出して取り付けられる頭部付き突起３と、固定基盤１に出し入れ自在に組み付けられるスライド片５とを一組とする。
【００１３】
固定基盤１は、そのスライド空間８を有するが、プラスチックにより薄く矩形に形成され、矩形の幅中央部の下端部に頭部付き突起３が落ち込む通し抜穴６が設けられる。
【００１４】
この固定基盤１は、差しピンとビスとの両方又は一方の使用により、壁面Ｗに固定できるようになっている。この点については、左右両端部に傾斜面７，７を設け、幅中央部に上下一対にネジ止穴９，９が設けられ、左右両端部に該部の斜面７，７に垂直になるように差しピン１１，１１の通し孔１０，１０が設けられる。
【００１５】
スライド片５は、突起３を避け得るように、上に叉開く二股の開放形状であって、内股部には、二股掛止縁１５，１５が先方へ開き傾斜に形成される。前記固定基板１に対しては、その下から差し込むようにして組み付けられるが、組み付け完了手前では抜穴６が全開しているが（図２、図３）、押し込んで組み付けが完了されると、抜孔６が二股掛止片１５，１５で絞るように左右から閉じられる。
【００１６】
パネルPは、その下端部に、前記通し抜穴６に対応して、裏面において頭部付き突起３が突設されるが、簡便確実な方法として、この場合、裏面にビスを螺着してその頭部付き突起３を設け、その軸部を細部３aとしてその上に頭部３ｂを設けた。
【００１７】
なお、実施例図の如く、下部のみによる密着した状態では、上部が不安定となるので、一般的には、他の密着手段あるいは掛止手段がとられることになる。この点については前記した通りである（図６〜図８）。まずは、下部においてのみ壁面固定具Fを使用する場合について説明する。
【００１８】
この実施例の場合、壁面Wが石膏ボードであり、固定基盤１の取付けには、両端の斜面７，７から差しピン１１，１１、・・を斜め打ちして強固に密着固定される。壁面Wが石膏ボードである関係で、ビス止めするネジ止め孔９は使用しなかった。
【００１９】
パネルPの取付け手順については、スライド片５を下げて通し抜穴６が全開した状態において、壁面WにパネルPを合わせつつ、裏面の頭部付き突起３を通し抜穴６に深く差入れながらスライド片５を差し込む。
【００２０】
図４、図５は、差し込み完了の取付け状態を示したもので、スライド片５の二股掛止縁１５，１５で挟みながら頭部付き突起３の細部３aを締め、両掛止縁１５，１５が掛かるために頭部３ｂが脱出不能となり、この状態で固定基盤１に対してパネルPが定着し、上端部では紐掛け２０に密着して、全体が垂直状態を保持する。
【００２１】
なお、止めピン１７の通し孔１３への差し込みにより、差し込み未完了と完了とのいずれの状態でも、スライド片５がずれないよう位置決め保持され得る。また、スライド片５の差し込み深さ程度についても、位置決めされるようになっている。これについては、図９および図１０において詳細に説明する。
【００２２】
図９および図１０は、固定基盤１に対してスライド空間８を移動するスライド片５の二段階の位置を示したもので、スライド片５の出し入れ両方において、位置決め（仮止め）固定されるようになっている。なお、両図は、固定基盤１とスライド片５との構造を全面的に表わすとともに、スライド空間とスライド片とがハッチングにより境界を明確に区分された説明図として提示するものである。
【００２３】
この両図から明らかなように、固定基盤１のスライド空間８には、中間部と奥端部とにそれぞれ左右一対の隆起状の係合部２３，２３が突設さる。これに対してスライド片５には、二股両先端部にそれらに係る爪２７、２７が突設される。
【００２４】
図９は、スライド片５を引き出した差し込み未完の状態を示したもので、その二股両先端部の爪２７，２７が係合部２３と副係合部２３aとの間に掛かって一点に位置決めされている。また、止めピン１７がこの状態を確実にしている。そして、この静止状態において全開している通し抜穴６に頭部付き突起３が障碍なく確実に通し込まれる。
【００２５】
頭部付き突起３が差し込まれたときには、スライド片５を押し入れながら副係合部２３aと隣接する係合部２３を超えて押し込むと、今度は爪２７，２７が奥の係合部２３，２３と係合して仮止めされ、このときにスライド片５の二股両側縁１５，１５が頭部付き突起３を締めつけることになってその脱出を阻止することになる（図１０、図３参照）。
【実施例２】
【００２６】
図１１ないし図１４は、他の実施例を示したもので、この場合は、パネル等が上にV字開できるようにした額縁２であって、アルミ押出形材で枠組みされる裏板フレーム２９に対してガラスフレーム３１が下端でV字開閉可能に連結されている。間に作品を差し挟む関係で、壁面Wに固定される裏板フレーム２９に対してガラスフレーム３１を「閉」に保持する必要があるので、固定基盤１、スライド片５および頭部付き突起３からなる壁面固定具Fが上端の開閉口に使用される。
【００２７】
固定基盤１は、裏板フレーム２９の上部フレーム２９aに左右一対において取り付けられ、フレーム内面の蟻溝２５を利用してネジ２６，２６止めされる。また、固定基盤１には、両端部間にスライド片５が横長に滑るスライド空間８が設けられ、中心部にはスライド空間８に頭部付き突起３が落ち込む通し抜穴６が設けられ、さらに上部の一部に該空間８が抜ける摘み口３３が設けられる。また、スライド空間８の上下両側に、スライド片５の爪２７，２７が落ち込む切欠き状の係合部２３，２３が左右一対ずつ設けられる。
【００２８】
スライド片５は、二股状の両先端部に爪２７、２７が形成されたもので、基部上端に摘み３５が形成され、固定基盤１にはそれが突出する摘み口３３が設けられ、摘み口３３に対応して上部フレーム３１aには、摘み３５が突出する操作口３４が切欠きにより形成される。
【００２９】
頭部付き突起３は、ガラスフレーム３１の上部フレーム３１aに内装され、フレーム内溝４０に嵌る取付片３９にこの突起３が突設され、取付片３９がネジで固定される。
【００３０】
開閉使用については、スライド片５を引いた状態（図１２）で両フレーム２９，３１を閉じると、頭部付き突起３が固定基盤１の通し抜穴６に落ち込むので、外部に露出している摘み３５でスライド片５を移動させると、二股掛止片１５，１５で頭部付き突起３を締めつけることになって（図１３、図３参照）、脱出が阻止される結果、裏板フレーム２９に対してガラスフレーム３１の閉じ（図１４ロ）が保持される。また、V字開き（図１４イ）するときには、摘み３５を復帰させて頭部付き突起３を引き上げてロック状態を解除する。
【符号の説明】
【００３１】
F  パネル等の壁面固定具
W  壁面
P  パネル
１  固定基盤
２  パネル等としての額縁
３  頭部付き突起
３ａ  細部
３ｂ  頭部
５  スライド片
６  通し抜穴
８  スライド空間
９  ネジ止め穴
１０  通し孔
１１  差しピン
１３  通し孔
１５  両側掛止縁
１７  止めピン
２７  爪
２９  裏板フレーム
３１  ガラスフレーム
３３  摘み口
３４  操作口
３５  摘み
【図１】
2015025294.tif 000003
【図２】
2015025294.tif 000004
【図３】
2015025294.tif 000005
【図４】
2015025294.tif 000006
【図５】
2015025294.tif 000007
【図６】
2015025294.tif 000008
【図７】
2015025294.tif 000009
【図８】
2015025294.tif 000010
【図９】
2015025294.tif 000011
【図１０】
2015025294.tif 000012
【図１１】
2015025294.tif 000013
【図１２】
2015025294.tif 000014
【図１３】
2015025294.tif 000015
【図１４】
2015025294.tif 000016